(57)【要約】      （修正有）【課題】本体の把持及び操作姿勢に選択自由度がある撮像装置の提供。【解決手段】撮影レンズ２０１を有した撮像装置本体１に対し前記撮影レンズの光軸６中心に回動可能な外装の一部を有し、該回動外装部には少なくとも１つの操作部４０と少なくとも１つの本体把持用の補助形状を備え、該操作部と該補助形状は光軸を中心として、ある位相にて配置されていることを特徴としている撮像装置。【選択図】図１
2010054598.tif 000002
【特許請求の範囲】
【請求項１】
撮影レンズを有した撮像装置本体に対し前記撮影レンズの光軸中心に回動可能な外装の一部を有し、該回動外装部には少なくとも一つの操作部を備えていることを特徴としている撮像装置。
【請求項２】
撮影レンズを有した撮像装置本体に対し前記撮影レンズの光軸中心に回動可能な外装の一部を有し、該回動外装部には複数の操作部を備え、該複数の操作部が光軸を中心として、ある位相にて配置されていることを特徴としている撮像装置。
【請求項３】
撮影レンズを有した撮像装置本体に対し前記撮影レンズの光軸中心に回動可能な外装の一部を有し、該回動外装部には少なくとも１つの操作部と少なくとも１つの本体把持用の補助形状を備え、該操作部と該補助形状は光軸を中心として、ある位相にて配置されていることを特徴としている撮像装置。
【発明の詳細な説明】
【技術分野】
【０００１】
本発明は利便性に優れた撮像装置に関するものである。
【背景技術】
【０００２】
従来よりカメラと、このカメラで撮影した画像を記録部に記録する、撮像装置が広く普及している。
【０００３】
これらの撮像装置は記録部の小型化や電気部品の小型化により撮像装置本体の小型化が進んでいる。
【０００４】
図１８は一般的な撮像装置の使用状態を示す斜視図であり、撮像装置を手で握った時の状態を示している。同図に示す撮像装置はレンズ側面の長手方向側を握る横型タイプのものであり、上面の操作部を人指し指、中指、薬指で操作するものである。
【０００５】
外装の一部が、撮像装置本体に対して撮影レンズの略光軸方向に移動可能に設けたものが特許文献１に開示されている。（図１９）
【特許文献１】特開２００１−４５３４８号公報
【発明の開示】
【発明が解決しようとする課題】
【０００６】
しかしながら図１８に示す従来の撮像装置では上面に親指以外の指が掛かる把持方法となり、その他の把持方法では撮影時にボタン類の操作が困難となる為、把持方法の選択自由度がない。
【課題を解決するための手段】
【０００７】
上記課題を解決する為に請求項1に記載の発明は、撮像装置において、撮影レンズを有した装置本体に対し前記撮影レンズの光軸中心に回動可能な外装の一部を有し、該回動外装部には少なくとも一つの操作部を備えていることを特徴としている。
【０００８】
請求項２に記載の発明は、撮像装置において、撮影レンズを有した装置本体に対し前記撮影レンズの光軸中心に回動可能な外装の一部を有し、該回動外装部には複数の操作部を備え、該複数の操作部が光軸を中心として、ある位相にて配置されていることを特徴としている。
【０００９】
さらに請求項３に記載の発明は、撮像装置において、撮影レンズを有した装置本体に対し前記撮影レンズの光軸中心に回動可能な外装の一部を有し、該回動外装部には少なくとも１つの操作部と少なくとも１つの本体把持用の補助形状を備え、該操作部と該補助形状は光軸を中心として、ある位相にて配置されていることを特徴としている。
【発明の効果】
【００１０】
以上説明したように、請求項１に記載の発明によれば、撮影レンズの略光軸中心に回動可能な外装の一部を有し、該回動外装部には少なくとも一つの操作部を備えていることを特徴としていることにより撮影者の手の大きさ把持方法による指の位置の違いに応じて操作部の位置を合わせる事が可能となる。
【００１１】
請求項２に記載の発明によれば、撮影レンズの略光軸中心に回動可能な外装の一部を有し、該回動外装部には少なくとも一つの操作部を備え、該複数の操作部が光軸を中心として、ある位相にて配置されていることを特徴としていることにより、例えば人差し指と親指と言うように撮像装置を握った時に略対向位置に指先が配置される指に対し撮影者の操作が楽な位置に操作部を配置でき、また把持方法の自由度が増し、さまざまなアングルの撮影時おいて撮影者の楽な姿勢での撮影が可能である。
【００１２】
また請求項３に記載の発明は、撮影レンズの略光軸中心に回動可能な外装の一部を有し、該回動外装部には複数の操作部を備え、該複数の操作部が光軸を中心として、ある位相にて配置されていることにより把持方法に自由度があり、さまざまなアングルの撮影時おいて撮影者の楽な姿勢での撮影が可能である。また指掛け部が設けられていることでボタン操作時に本体が動く事が無く、安定した撮影が可能である。
【発明を実施するための最良の形態】
【００１３】
次に、本発明の詳細を実施例の記述に従って説明する。
【実施例１】
【００１４】
以下、本発明の撮像装置を（1）撮像装置の概略構成、（2）作用の順に説明する。
【００１５】
（1）撮像装置の概略構成
以下図面を参照しながら本発明の撮像装置を具体的に説明する。なお、同一の部位や方向などは同一符号を持って示し、重複した説明は省略する。
【００１６】
まず図１、図２は本発明の撮像装置本体１（以下本体１）の第一の形態における前方斜視図と後方斜視図である。図１０、図１２は本体１の分解斜視図、図１１、は本体１の断面図である。
【００１７】
図１２に示すように本体１は大きく分けてフロント部２０とリヤ部３０と回動操作部４０から構成される。図１、図２に示すようにフロント部２０は略円筒形状２００aに底面土台形状２００ｂが形成されている。フロント部２０の上面には画像表示部２０２と電源を操作する電源スイッチ２０３が設けられている。フロント部２０内にはレンズ部２０１とレンズ基板２０４が設けられている。リヤ部３０は略円筒形状３００aに底面土台形状３００ｂが形成されている。リヤ部３０には再生時の操作ボタン３０１と記録基板３０２を設けている。この実施例では、記録基板３０２にはメモリー素子を実装している。メモリー素子を記録媒体とする事でＶＴＲのようにカセットテープなどの記録媒体を出し入れする必要が無い。このため記録媒体の投入口や出し入れの機構を設ける必要が無いので撮像装置の構造を簡素化することができ、小型化をいっそう進める事が出来る。
【００１８】
回動操作部４０はヒンジ部４１１、ヒンジ部４０３を備えておりそれぞれ穴４１１ａ,穴４０３ａが形成されている。穴４１１ａ,穴４０３ａの中心同一軸上にあり、ヒンジ部４１１とヒンジ部４０３は穴４１１ａ,穴４０３ａの中心に回動自在である。ヒンジ部４１１には操作部カバーフロント４０６が図示しないネジで締結されている。ヒンジ部４０３には操作部カバーリヤ４０７が図示しないネジで締結されている。回動操作部４０には操作基板４０８とＺＯＯＭレバー４０１を備えた操作部カバー上４０４と、操作基板４０９と録画ボタン４０２を備えた操作部カバー下４０５が、回動操作部４０の断面、図１３に示すように、操作部カバー上４０４に形成された爪４０４aと操作部カバー下４０５に形成された凹形状４０５aが係合することで互いに固定されている。ヒンジ部４０３にはネジ穴４０３ｂが形成され、操作部カバー下４０５に形成された穴４０５ｂと図示しないネジにて螺合される。ヒンジ部４１１にはネジ穴４１１ｂが形成され、操作部カバー下４０５に形成された穴４０５ｃと図示しないネジにて螺合される。操作部カバー上４０４と操作部カバー下４０５は略同一半径の半円状の形状である。
【００１９】
略円筒形状２００aと略円筒形状３００aと穴４１１ａと穴４０３ａと操作部カバー上４０４と操作部カバー下４０５の中心軸はレンズ光軸６と略同一線上にある。
【００２０】
レンズ基板２０４に接続されたフレキシブル基板２０５は穴４１１ａ,穴４０３ａを挿通して記録部基板３０２に接続され、画像信号の伝達を行う。操作基板４０８、操作基板４０９と接続された信号線４１０は穴４０３ａを挿通して記録部基板３０２に接続され、ＺＯＯＭレバー４０１及び録画ボタン４０２の信号伝達を行う。
【００２１】
以上の構成により、回動操作部４０はフロント部２０、リヤ部３０に対して略光軸中心に回動可能である。この実施例では、ＺＯＯＭレバー４０１と録画ボタン４０２は略１８０度回転した位置に配置されている。
【００２２】
（2）作用
図９に右手５を示す。親指５ａ，人指し指５ｂ，中指５ｃ，薬指５ｄ，小指５ｅ，手の甲５ｆとする。
【００２３】
図３、図４に第１の形態における把持状態をしめす。この把持形態では親指５ａでＺＯＯＭレバー４０１を操作し、人指し指５ｂで録画ボタン４０２を操作する。手の甲５ｆが横に向いた状態で撮影操作を行う。図１４のように撮影者の腹部の前に撮像装置を持ち、楽な姿勢での撮影が可能となる。
【００２４】
図５、図６に第２の形態における把持状態を示す。第２の形態では回動操作部４０をレンズ面から見て右に９０度回転している。親指５ａで録画ボタン４０２を操作し、人指し指５ｂでＺＯＯＭレバー４０１を操作する、第２の形態においては底面に指が回りこまないので机の上に置いた状態でも操作が可能となる。
【００２５】
図７、図８に第３の形態における把持状態を示す。第３の形態では回動操作部４０をレンズ面から見て左に９０度回転している。人指し指５ｂで録画ボタン４０２を操作し、親指５ａでＺＯＯＭレバー４０１を操作する、第３の形態においては底面に手の甲が向くので、図１５のようにひじを机の上に置いた状態での操作が可能である。
【００２６】
上記のように本実施例では３つの把持形態を示したが、回動操作部４０は自在に回動可能であるので、撮影者の好みの角度に設定する事が可能である。
【００２７】
また、本実施例ではＺＯＯＭレバー４０１と録画ボタン４０２は１８０度位相をずらした位置に配置しているが別の角度でも構わない。
【００２８】
本実施例では回動操作部４０にはＺＯＯＭレバーと録画ボタンを備えたが、他の機能でも構わない。
【実施例２】
【００２９】
実施例１ではＺＯＯＭレバーと録画ボタンという複数の操作部を配置したが、回動外装部には一つの操作部が配置されていれば、手の大きさが違っても、各撮影者の指の位置に合わせて操作部を配置することが可能となり操作感に優れた撮影装置の提供ができる。
【実施例３】
【００３０】
図１６、図１７に示す本発明の撮像装置は回動操作部４０にＺＯＯＭレバー４０１と指掛け部４１２を備えている。該指掛け部を備える事によりグリップ感が優れ、安定した撮影が可能となる。本実施例においては該指掛け部の形状は凹形状であるが、凸形状であっても構わない。また本実施例ではＺＯＯＭレバー４０１と指掛け部４１２は１８０度回転した位置に配置しているが他の角度でも構わない。
【図面の簡単な説明】
【００３１】
【図１】第一の形態の前方斜視図
【図２】第一の形態の後方斜視図
【図３】第一の形態での把持状態の斜視図
【図４】第一の形態での把持状態の正面図
【図５】第二の形態での把持状態の斜視図
【図６】第二の形態での把持状態の正面図
【図７】第三の形態での把持状態の斜視図
【図８】第三の形態での把持状態の正面図
【図９】右手
【図１０】本発明の撮像装置の分解斜視図
【図１１】本発明の撮像装置の断面図
【図１２】本発明の撮像装置の分解斜視図
【図１３】本発明の撮像装置の断面
【図１４】第１の形態の使用状態
【図１５】第３の形態の使用状態
【図１６】実施例３の撮像装置
【図１７】実施例３の撮像装置
【図１８】従来の撮像装置
【図１９】特許文献１の撮像装置
【符号の説明】
【００３２】
1  本発明のビデオカメラの本体
5a  右手親指
5b  右手人指し指
5c  右手中指
5d  右手薬指
5e  右手小指
5f  右手の甲
6  レンズ光軸
20  フロント部
30  リヤ部
40  回動操作部
200a  フロント円筒部
200b  フロント底面土台部
201  レンズ部
202  画像表示部
203  電源スイッチ
204  レンズ基板
205  フレキシブル基板
300a  リヤ円筒部
300b  リヤ底面土台部
301  再生系操作ボタン
302  記録部基板
401  ZOOMレバー
402  録画ボタン
403  ヒンジ部
403a  ヒンジ部穴
403b  ヒンジネジタップ部
404  操作部カバー上
404a  爪
405  操作部カバー下
405a  凹形状
405b  ネジ穴部
405c  ネジ穴部
406  操作部カバーフロント
407  操作部カバーリヤ
408  操作基板
409  操作基板
410  信号線
411  ヒンジ部
411a  ヒンジ部穴
411b  ヒンジネジタップ部
412  指掛け部
【図１】
2010054598.tif 000003
【図２】
2010054598.tif 000004
【図３】
2010054598.tif 000005
【図４】
2010054598.tif 000006
【図５】
2010054598.tif 000007
【図６】
2010054598.tif 000008
【図７】
2010054598.tif 000009
【図８】
2010054598.tif 000010
【図９】
2010054598.tif 000011
【図１０】
2010054598.tif 000012
【図１１】
2010054598.tif 000013
【図１２】
2010054598.tif 000014
【図１３】
2010054598.tif 000015
【図１４】
2010054598.tif 000016
【図１５】
2010054598.tif 000017
【図１６】
2010054598.tif 000018
【図１７】
2010054598.tif 000019
【図１８】
2010054598.tif 000020
【図１９】
2010054598.tif 000021